(57)【特許請求の範囲】
【請求項１】
シートの座面部となるシートクッションと、
前記シートクッションの背側に設けられ、シートの背もたれ部となるシートバックと、
前記シートクッションの下部側に設けられ、シート底面を覆う底部カバーと、を有する車両用シートであって、
前記底部カバーは、立体裁断された複数の布材を立体縫製することにより、前記シートクッション側に窪んで形成されており、かつ、その一端が縫製によりトリムカバーに連結され、他端に設けられたサスペンダーがシートフレームまたはトリムカバーに係合されることでシート底部に装着されていることを特徴とする車両用シート。
【請求項２】
請求項１に記載の車両用シートであって、
前記シートクッションの下部側に配線束を備え、
前記配線束は少なくとも２束以上に分割され、前記シートクッションの両側に沿って配置されていることを特徴とする車両用シート。
【請求項３】
請求項２に記載の車両用シートであって、
前記配線束は、前記シートクッションの両側に各々設けられたインナーカバーに固定されていることを特徴とする車両用シート。
【請求項４】
請求項３に記載の車両用シートであって、
前記インナーカバーは、樹脂により形成されていることを特徴とする車両用シート。
【発明の詳細な説明】
【技術分野】
【０００１】
本発明は、車両用シートに係り、特に、後部座席の乗員のシート下への足入れ性を向上する車両用シートに関する。
【背景技術】
【０００２】
自動車シートなどの車両用シートは安全性やホールド性、乗降性（乗り降りのしやすさ）など様々な機能が求められると同時に、座り心地や振動吸収性能といった乗員の快適性向上に対する要求も多い。
【０００３】
自動車のフロントシートにおいては、フロントシートに着座する乗員の快適性を満たすのと同時に、後部座席の乗員の足元のスペースをできるだけ広く取れるような設計・開発の取り組みがなされている。
【０００４】
本技術分野の背景技術として、例えば、特許文献１のような技術がある。特許文献１には、「後部座席の乗員の足入れ性を改善し、シート・クッションの下のスペースまでラゲッジ・スペースに広げて活用可能にする自動車用シート・スライド機構」が開示されている。
【０００５】
また、特許文献２には、「屈曲させやすく、人間の足に当たらず、配線の余裕分が、シートの下にとぐろを巻かない自動車用シートの電気コード配線構造」が開示されている。
【０００６】
また、特許文献３には、「シートフレームの間とシートの後方の引出位置との間で出し入れ可能に設けられたフットレストが、引出位置で後部乗員のための足載せ面を露出させる一方、シートフレーム間に収納されたとき、シートフレームの後端面を開口してシートの下に足入れ空間を形成する車両用シート」が開示されている。
【先行技術文献】
【特許文献】
【０００７】
【特許文献１】特開平１１−１２９７９２号公報
【特許文献２】特開平１１−１９８７４３号公報
【特許文献３】特開２００４−４２８５７号公報
【発明の概要】
【発明が解決しようとする課題】
【０００８】
従来のフロントシートでは、後部座席の乗員の足元のスペースを広げるため、例えば、シート底部のカバーを形成する際、カーペット等の布材に熱を加えながら金型を用いてプレス成型することで上方へ窪ませている（凹形状としている）が、車種に応じた金型を用意する必要があり、製造コストの上昇に繋がる。
【０００９】
また、最近では電動シートやヒータを内蔵したシートも普及しており、これらの配線をシート底部に配置する場合が多いが、複数のハーネス（配線束）を束ねて１本に纏めているため、ハーネスの径が太くなり、足元のスペースを広げるうえで阻害要因となっている。
【００１０】
また、径の太いハーネス（配線束）を足元から離れたシートフレームに固定しているため、足元部分でハーネス（配線束）の位置が安定せずに、足の挿入を邪魔している。
【００１１】
上記特許文献１は、足元のスペースを確保するうえで有効な技術ではあるが、車種に応じたアーチ型ライザーを用意する必要があり、製造コストの上昇に繋がる。また、フロントシートの位置も高くなるため、フロントシートの乗員の快適性が損なわれる恐れもある。
【００１２】
上記特許文献２は、シート底部の配線構造を形成するためのコスト上昇は避けられず、製造コストの抑制には不利である。
【００１３】
また、上記特許文献３は、フットレストをシートフレーム間に収納した際、フットレストが邪魔になるため、足元のスペースを広くするには不向きである。
【００１４】
そこで、本発明の目的は、製造コストの上昇を抑えつつ、後部座席の乗員の足元スペースを広く取ることが可能な車両用シートを提供することにある。
【課題を解決するための手段】
【００１５】
上記課題を解決するために、本発明は、シートの座面部となるシートクッションと、前記シートクッションの背側に設けられ、シートの背もたれ部となるシートバックと、前記シートクッションの下部側に設けられ、シート底面を覆う底部カバーと、を有する車両用シートであって、前記底部カバーは、立体裁断された複数の布材を立体縫製することにより、前記シートクッション側に窪んで形成されており、かつ、その一端が縫製によりトリムカバーに連結され、他端に設けられたサスペンダーがシートフレームまたはトリムカバーに係合されることでシート底部に装着されていることを特徴とする。
【発明の効果】
【００１７】
本発明によれば、製造コストを抑えつつ、後部座席の乗員の足元スペースを広く取ることができ、後部座席の乗員の快適性を向上することができる。
【００１８】
上記した以外の課題、構成及び効果は、以下の実施形態の説明により明らかにされる。
【図面の簡単な説明】
【００１９】
【図１】本発明の一実施形態に係る車両用シートの全体概要を示す図である。
【図２】図１におけるＡ−Ａ’矢視図（背面図）である。
【図３】図２におけるＤ部の拡大図である。
【図４】図１におけるＢ−Ｂ’矢視図（底面図）である。
【図５】図２におけるＣ−Ｃ’部断面を示す図である。
【発明を実施するための形態】
【００２０】
以下、図面を用いて本発明の実施例を説明する。なお、各図面において、同一の構成については同一の符号を付し、重複する部分についてはその詳細な説明は省略する。また、各図面において、主要な構成が分かりやすいよう、ウレタンやワディングなどのクッション材は省略している。
【実施例１】
【００２１】
図１から図４を参照して、実施例１の車両用シートについて説明する。本実施例の車両用シート１は、図１に示すように、シートの座面部となるシートクッション２が図示しないシートフレーム上に設けられている。シートクッション２の背側には、シートの背もたれ部となるシートバック３が図示しないリクライニング機構を介して設けられている。シートバック３の上部には、乗員の頭部および頸部を保護するヘッドレスト４が設けられている。シートクッション２の両脇には、着座時に乗員の大腿部を横方向から支持するサイドサポート５が設けられている。また、シートバック３の両脇には、着座時に乗員の背中を横方向から支持するサイドサポート６が設けられている。
【００２２】
図２を用いて、シートバック３の背面側の構成を説明する。図２は図１におけるＡ−Ａ’矢視図（背面図）である。なお、図２では構成を分かりやすくするために、通常はサスペンダー１０により固定されている底部カバー８が、サスペンダー１０を外すことによりシートから外れている状態を示している。また、通常はコンシールファスナー７により固定されているシートの背面側のトリムカバー１１が、コンシールファスナー７を途中まで解放する（開ける）ことにより一部がシートから外れている状態を示している。
【００２３】
図２に示すように、シートバック３の背面側のトリムカバー１１は、両サイドに各々設けられたコンシールファスナー７によりサイドサポート６側のトリムカバーと連結され、シートに装着されている。シート底部を保護する底部カバー８は、その一端が縫製などによりトリムカバー１１に連結されている。また、底部カバー８の反対側の端部にはサスペンダー１０が設けられており、シート底部の前面側のシートフレームやトリムカバー等に係合することで、シート底部に装着されている。
【００２４】
図３を用いて、底部カバー８をより詳細に説明する。図３は図２におけるＤ部の拡大図である。図３に示すように、底部カバー８は、素材となるカーペット等の布材を立体裁断し、裁断された各ピースを立体縫製することにより形成されている。図３の例では、４つのピースを立体縫製して底部カバー８を形成している。
【００２５】
なお、立体裁断とは、シートの型に直接布地を当てて形を取り裁断する裁断方法であり、平面上で製図した型紙を用いて裁断する平面裁断に比べて、意図した形状やシルエットにより近い形に布材を裁断することができる。また、立体縫製とは、立体裁断した裁断ピースを形状を維持したまま縫合する縫製方法であり、裁断ピースを平面上で縫製する平面縫製に比べて、意図した形状やシルエットにより近い形に裁断ピースを縫合することができる。
【００２６】
図３に示すように、立体裁断した裁断ピースを立体縫製することにより、縫合部１２を谷線として底部カバー８に窪み（凹形状）を形成することができる。この窪み（凹形状）がシートの下部側、すなわち後部座席の乗員の足元側に向くように底部カバー８を配置し、サスペンダー１０等で固定することにより、足元のスペースをより広く取ることができる。
【００２７】
言い換えると、立体裁断した裁断ピースを立体縫製することにより、底部カバー８をシートクッション２側に窪ませて形成することで、足元のスペースを広くしている。
【００２８】
次に、図４を用いて、車両用シート１のシート底部に配置されるハーネス（配線束）の配置方法について説明する。本実施例の車両用シートは、図４に示すように、ハーネス（配線束）を１本に束ねずに、２本に分割して配置し、分割した２本のハーネス（配線束）、すなわちハーネスＢ１５を各々シートクッション下面の両側に沿って配置している。
【００２９】
従来のシートでは、ハーネスＡ１４のように１本に束ねた径の太いハーネスをシート下面の中央付近に最短距離になるよう配置しているため、後部座席の乗員がシートの底部に足を入れようとする際、中央付近の太いハーネスが邪魔になっていた。
【００３０】
そこで、本実施例では、図４のように、後部座席の乗員が足を入れるエリアに径が太いハーネスＡ１４を配置せず、２分割して各々径の細いハーネスＢ１５をシート下面の両側に沿って配置することで、後部座席の乗員が足を入れるスペースを確保している。
【００３１】
さらに、シートクッション下面の両側に各々設けられた樹脂製のインナーカバー１６に留め具１７によりハーネスＢ１５を固定することで、シート底部のハーネス（配線束）の配置が安定し、後部座席の乗員がシートの底部に足を入れようとする際、ハーネス（配線束）が邪魔になるのを防いでいる。
【００３２】
以上説明したように、本実施例では、シート底部に位置する底部カバー８を布材の立体裁断および立体縫製により窪み（凹形状）を有して形成することにより、後部座席の乗員の足元のスペースを広く取ることができる。また、シート底部に配置されるハーネス（配線束）を１本に纏めずに分割し、シート下面の両側に分けて配置することで、ハーネス（配線束）を配置するためのスペースをコンパクトにすることができる。また、分割した径の細いハーネス（配線束）をインナーカバーに固定することで、ハーネス（配線束）の位置が安定し、シートの下部への足入れ性をより向上することができる。
【００３３】
なお、本実施例では、底部カバー８の素材として、カーペット等の布材を用いる例を示したが、これに限定されるものではなく、例えば、本革や合成皮革などの皮系素材であっても、同様に立体裁断および立体縫製を行うことで、底部カバー８に窪み（凹形状）を設けることができ、後部座席の乗員のフロントシート下部への足入れ性を向上することができる。
【００３４】
また、底部カバー８の固定方法として、サスペンダー１０により固定する例を示したが、これに限定されるものではなく、例えば、ファスナーやボタン、ホックなどの固定手段を用いてもよい。
【実施例２】
【００３５】
図５を参照して、実施例２の車両用シートについて説明する。図５は図２におけるＣ−Ｃ’部断面を示している。
【００３６】
実施例１で説明した車両用シートでは、後部座席の乗員の足元のスペース、特に、フロントシートの下側のスペースを広く取ることで、後部座席の乗員の快適性を向上している。後部座席の乗員がフロントシートの下側に足を入れようとすると、シートバック３の背面側に膝が当たり、フロントシートの下側に十分に足を入れることができない場合がある。そこで、本実施例では、図５に示すように、シートバック３の背面側のトリムカバー１１を前面側に吊り込むことで後部座席の乗員の膝とシートバック３とのスペースをより広く取ることができ、後部座席の乗員の快適性を向上している。
【００３７】
トリムカバー１１の吊り込み構造は、図５のＥ部拡大に示すように、トリムカバー１１に縫製等により連結された吊り込み部材１９によりシートバック３の前面側に吊り込んでいる。吊り込み部材１９の先端部には、フック１８が設けられており、フック１８をシートバック３内部のシートフレーム９の端部に係合させることで、トリムカバー１１を前面側に吊り込んでいる。これにより、樹脂板などの硬質部材を使用せずに、鮮明な窪み（凹形状）をシートバック３の背面側のトリムカバー１１に形成することができる。
【００３８】
以上説明したように、本実施例では、実施例１で説明した方法によりフロントシートの下側のスペースを確保するのに加え、シートバック３の背面側のトリムカバー１１を前面側へ吊り込んでいるため、後部座席の乗員の膝がシートバック３に接触するのを防ぐことができ、後部座席の乗員の足元のスペースをさらに広く取ることができる。
【００３９】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００４０】
１…車両用シート、２…シートクッション、３…シートバック、４…ヘッドレスト、５，６…サイドサポート、７…コンシールファスナー、８…底部カバー、９…シートフレーム、１０…サスペンダー、１１…トリムカバー、１２…縫合部、１３…シートスライド、１４…ハーネスＡ、１５…ハーネスＢ、１６…インナーカバー、１７…留め具、１８…フック、１９…吊り込み部材。
【図１】
0006577330.tif 000002
【図２】
0006577330.tif 000003
【図３】
0006577330.tif 000004
【図４】
0006577330.tif 000005
【図５】
0006577330.tif 000006